(57)【要約】      （修正有）【課題】購入する印刷用紙を顧客が選択する際に、各種の紙を容易に比較検討することが可能な紙の見本帳を提供する。【解決手段】１枚のシート１に複数の孔を設け、その複数の孔のそれぞれに１種類の紙を覆うようにして固定し、該１枚のシートに複数種の紙Ａ〜Ｅを固定してなる紙の見本帳。【選択図】図１
2014048531.tif 000002
【特許請求の範囲】
【請求項１】
１枚のシートに複数の孔を設け、その複数の孔のそれぞれに１種類の紙を覆うようにして固定し、該１枚のシートに複数種の紙を固定してなる紙の見本帳。
【請求項２】
複数種の紙を互いに接続してなる紙の見本帳。
【請求項３】
各種類の紙が同一形状、同一の大きさである請求項２に記載の紙の見本帳。
【請求項４】
多角形形状を有し、その１つ１つの角が全て同じ種類の紙により構成されていない請求項２に記載の紙の見本帳。
【請求項５】
各種類の紙が短冊状であり、その長辺を互いに接続してなる請求項２に記載の紙の見本帳。
【請求項６】
接続手段が接着剤による接着、粘着テープ接続である請求項２〜５のいずれかに記載の紙の見本帳。
【請求項７】
前記１枚のシートに同坪量の複数種の紙を固定してなる請求項１〜６のいずれかに記載の紙の見本帳。
【請求項８】
請求項１〜７のいずれかに記載の見本帳の２つ以上を１組としてなる見本帳綴り。
【発明の詳細な説明】
【技術分野】
【０００１】
本発明は印刷用紙の見本帳に関する。
【背景技術】
【０００２】
見本帳としては布地、建材等各種の製品用のものが使用されている。
紙用の見本帳としては、特許文献１に記載されているように、複数のマルタックが取り付けられた１枚の透明な台紙と、複数の封筒用紙を、重ねた状態で互いに相対的に移動自在に保持する保持具により保持してなる見本帳が知られている。
このような見本帳はマルタックと封筒の色彩の組み合わせを検討するためのものであり、そのため、複数のマルタックを１枚の透明な台紙に取り付けるものである。
また生地用の見本帳としては、見本用生地を表面から裏面にかけて貼り付けた生地台紙部を、窓部を形成した台紙本体の窓に望むようにして位置させてなる生地見本用台紙が知られている。
【０００３】
このように、複数の部材の色の組み合わせを確認するための見本や、生地の手触りや色合い等を確認するための見本帳は知られている。
しかしながら、上記のように封筒については、マルタックとの組み合わせを確認できるように、これらの保持具により束ねてなる見本帳が存在するのであり、マルタックと各種紙との間で比較検討するものである。
しかし、各種の紙自体を１枚ずつ直接比較し、それらの紙の性質について確認できるような見本帳はなかった。
【０００４】
特に印刷用紙においては、坪量、白色度、不透明度、白紙光沢度、印刷光沢度、各種印刷適性、さらには用途、密度、厚さ、色等紙を規定するパラメータは極めて多く、しかも、顧客による細かい注文に対して、柔軟に製造を行っている。
そのため、製紙会社が用意する紙の品種の数は極めて多く、その管理が煩雑であるし、紙に対する注文の細かさも顧客によって大きく異なり、極めて詳細に紙の性質を規定する顧客もいれば、そうでない顧客もいる。
そのため、これまで全商品の紙、つまり極めて多い品種数を網羅した見本帳を作成することは、見本帳自体が膨大なものとなり、１つの見本帳とすることは事実上できなかった。
【０００５】
このため、例えば購入する印刷用紙を顧客が選択する際には、主な紙の商品群そのものを１枚ずつサンプルとして入手し、これらを比べて決定していた。このため、多くの紙の種類、例えば数十種以上の紙を比較検討することは、サンプルの紙の量も膨大となり、サンプルとしての取り扱い性が優れないものであった。
このため、検討作業の繁雑さによって、実質的に検討できない品種の紙も存在し、本来は顧客のニーズに適合した紙があるにも関わらず採用されない可能性がある。
よって、顧客は多くの品種の紙から最も適切な紙を合理的に選択することが困難となっていた。
【先行技術文献】
【特許文献】
【０００６】
【特許文献１】実用新案登録３１２０３１４号公報
【特許文献２】特開昭６２−１６５６８５号公報
【発明の概要】
【発明が解決しようとする課題】
【０００７】
顧客が極めて多くの種類の紙を比較しながら、適切と考える１種を選択するために、１枚１枚がばらばらの状態の紙を互いに比較することは困難であり、このような紙の選択時の煩雑さを解消することが必要であった。
そして、顧客が購入する紙を選択する際に、限定された種類の紙を１枚のシート上に設けることで、これらの種類の紙を比較検討しながら選択することが求められる。
さらに、紙の品質を一度に比較するためには、同坪量で見本帳シートを作成することが好ましい。
【課題を解決するための手段】
【０００８】
１．１枚のシートに複数の孔を設け、その複数の孔のそれぞれに１種類の紙を覆うようにして固定し、該１枚のシートに複数種の紙を固定してなる紙の見本帳。
２．複数種の紙を互いに接続してなる紙の見本帳。
３．各種類の紙が同一形状、同一の大きさである２に記載の紙の見本帳。
４．多角形形状を有し、その１つ１つの角が全て同じ種類の紙により構成されていない２に記載の紙の見本帳。
５．各種類の紙が短冊状であり、その長辺を互いに接続してなる２に記載の紙の見本帳。
６．接続手段が接着剤による接着、粘着テープ接続である２〜５のいずれかに記載の紙の見本帳。
７．前記１枚のシートに同坪量の複数種の紙を固定してなる１〜６のいずれかに記載の紙の見本帳。
８．１〜７のいずれかに記載の見本帳の２つ以上を１組としてなる見本帳綴り。
【発明の効果】
【０００９】
本発明によれば、紙を購入する際の選択時において、各種の紙を密接に比較検討することができる。複数種の紙が１枚のシートに固定されているので、紙の表面の性状、透過光の状況、筆記時の様子等を、複数種の紙が固定されてなるその１枚のシートを基に比較・検討できるので、より効率よく購入する紙等を選択することが可能である。
また、複数種の紙を互いに接続してなる見本帳とした場合には、その見本帳に直接印刷、折り曲げ等、全く同条件にて試験することにより顧客が考える用途や目的にどの程度適合するのかを一度に確認することが可能となる。
さらに見本帳の形状を多角形状として、その角それぞれが見本となる紙により形成されるようにすると、その角の部分を使用して折り曲げ性や端面の手触り等を確認することができる。
【００１０】
加えて、各種類の紙が短冊状であり、その長辺を互いに接続してなる場合には、接続された後の見本帳の大きさが印刷機にて印刷可能な大きさとして、試験的に印刷することにより、印刷性、裏抜け性等印刷に関連した性質を一度に複数種の紙について確認することができ、しかもその複数の紙を直接比較することにより、より確実に希望する紙を選択することができる。
他方販売する側としては、複数種の紙を嵩張ること無く一度に顧客側に渡すことができるので、紙の見本帳を効率良く配布することが可能となる。
【図面の簡単な説明】
【００１１】
【図１】本発明の見本帳の態様を示す図である。
【図２】本発明の五角形の見本帳の態様を示す図である。
【図３】本発明の星状の見本帳の態様を示す図である。
【図４】本発明の短冊形の見本帳の態様を示す図である。
【発明を実施するための形態】
【００１２】
上記のように本発明は、１枚のシートに設けた複数の孔のそれぞれの孔に、これを覆うようにして各種類の紙を１つの孔に対して１つの種類の紙を固定することや、複数種の紙を互いに接続してなる紙の見本帳であり、この紙の見本帳に共通する事項としては、見本帳自体はほぼ紙の厚さを有するのみという極めて薄いものである点である。
このため、上記の効果として挙げるように、紙の表面の性状、透過光の状況、筆記時の様子等を、複数種の紙が固定されてなるその１枚のシートを基に比較・検討できるので、より効率よく購入する紙等を選択することや、また、複数種の紙を互いに接続してなる見本帳とした場合には、その見本帳に直接印刷、折り曲げ等、全く同条件にて試験することにより顧客が考える用途や目的にどの程度適合するのかを一度に確認することが可能であるという性質を備えるものである。
【００１３】
以下に本発明の紙の見本帳を、４つの態様を例に示して説明する。
なお、紙の見本帳の大きさは、任意の大きさでよいが、取り扱い性を考慮すると大きすぎず、また小さすぎず、例えば一般的な紙の見本帳のように短冊状にしたり、Ｂ５からＡ３まであたりの大きさとすることができる。
【００１４】
１番目の態様の見本帳
図１に示すように、シート１に５つの孔を設けておき、その５つの孔のそれぞれに、種類Ａ〜Ｅの紙を固定する。この態様において、シート１はこのＡ〜Ｅの種類のいずれでもない紙でも良いし、Ａ〜Ｅのいずれかの紙でも良い。この場合には、孔を４つとすることができる。
またシート１は樹脂フィルムや布地からなっていても良い。いずれにしても十分な可撓性を備えることが望ましい。シート１を紙により形成した場合には、そのシート１として使用する紙自体を、種類Ａ〜Ｅの紙に対する比較対象として位置づけるようにしても良いし、シート１に使用する紙自体を購入者が選択・比較対象の紙としても良い。
なお、上記の固定するとは、シート１の各孔を塞ぐようにして直接的に各種類Ａ〜Ｅの紙を、接着剤、接着テープ等により貼り付けることを意味している。
また、シート１に設ける孔の数は５に限定されず、見本帳にて示す紙の種類に応じてこれより多くしても少なくしても良いが、多すぎると１種類の紙当たりの大きさが小さくなりすぎて、見本帳として十分に紙の性質等を確認することが困難になる可能性があり、逆に少なすぎると、紙の見本帳としての見本数が少なく、十分に多くの紙の性質を確認することができないことが懸念される。
もちろんシート１には、固定してなる各種類の紙の性質に関する説明等、購入者が紙を選択するに必要な情報を記載することもできる。
【００１５】
孔の形状・配置も図１に示すような形状・配置に限定されないが、例えば、図１においてシート１の長辺が不透明度を示す軸を意味し、短辺が白色度を示す軸を意味する等、紙の性質を示す２つのパラメータをグラフ化してなることをイメージさせて各種類の紙を固定させてもよい。
どのような指標を、長辺、短辺にするかについては、例えば、用途によって選択することが可能である。チラシなどの用途においては、白紙光沢度は、求められる程度が同じであるので、白色度と不透明度を変数として長辺、短辺の指標にすることができる。
また、紙は、多くは坪量により品質が異なるので、比較しやすくするために同坪量の紙のサンプルを、同じシートに配置することもできる。
例えば、図１に示す紙の見本帳において、シート１の長辺を不透明度の軸として左から右に向けて不透明度を増加させ、シート１の短辺を白色度の軸として下から上に向けて白色度を増加させるようにしてもよい。
そうすると、例えば、同じ坪量の５種類の紙を白色度と不透明度の値を観点に５種類に分類した場合には、紙Ａの白色度は８３％、不透明度は８５％、紙Ｂの白色度が８３％、不透明度が９１％、紙Ｃの白色度が７８％、不透明度が８８％、紙Ｄの白色度が７３％、不透明度が８５％、紙Ｅの白色度が７３％、不透明度が９１％等と、各紙の特性を単に並べるのではなく、視覚的に比較・確認することが可能となる。
もちろん、坪量を一定にして、白色度と不透明度を基にシートに固定させる紙の配置を決定することに代えて、他の物性を基にして固定させる紙を配置することもできるし、紙Ａ〜Ｅの５種について、それぞれ、坪量が７種類のグレードがある場合には、合計５×７＝３５種類の紙のための見本帳が７枚で足りることになり、全体として極めてコンパクトな見本帳となる。複数種の紙を固定している別のシートを複数枚重ね合わせて１冊の紙の見本帳とすることもできる。このとき、重ね合わせたシートは、１枚ずつ切り離せるようになっていても良い。
このように、坪量が同一であるが、不透明度と白色度が異なる複数の紙をあわせて、同じ見本帳とすることにより、紙を互いに比較することができる。また、坪量ではなく、グロス、白色度、不透明度等、紙に関する各種特性のうち、１つ以上を同じとするが、他の特性が異なる紙をあわせて、１つの見本帳とすることにより、別の観点からの比較を行うことができる。
【００１６】
この態様において可撓性を備えたシート１に各紙を固定させたので、例えば、紙表面の反射光をみるために、光を反射させて目視によって反射特性を確認・比較したり、光の透過度を確認するために、光源にかざして目視によって確認・比較したりすることができる。また印刷特性を確認することを目的として、紙の見本帳そのものを印刷機、コピー機に通して、サンプル印刷することにより、裏抜け、トナー付着性等の広範な性質について確認することも可能であるし、筆記性を確認する場合には、一気に複数種の紙の筆記性を確認することもできるので、購入者が紙を選択する際に、極めて効率良く各紙の性質を確認することができる。
もちろん、予め見本帳に印刷を行っておき、印刷後の性質を確認できるようにしてもよく、また、印刷を行わない白紙の見本帳としてもよい。
また、紙の裏抜けなどを確認するために、各紙を固定させたシートの裏面に、印刷済みの紙（印刷する紙は何でも良い）を貼っておいてもよい。
なお、見本帳の裏面から見て、のりしろなどが見えてしまう場合には、見本帳シートの裏側に目隠し用のバックシートを貼り合わせても良い。バックシートの素材は、特に限定されないが、シートに使用した素材と同じものが好ましい。
【００１７】
２番目の態様の見本帳
図２に示すように、紙Ａ〜Ｅを接続部２を介して接続することにより５角形の紙の見本帳とすることもできる。
この接続部２は、紙Ａ〜Ｅを互いに接着した際の接着部位であったり、接着テープにて接続した際の接続部位であったり、あるいは帯状テープに隣接する紙を接着等して固定してなる接続部位であってもよい。この接続部２自体も紙Ａ〜Ｅと同様に十分な可撓性を備えることが必要である。上記１番目の態様にて記載した固定と区別し、接続するとしているのは、単に紙の端部同士をつなぎ合わせることを包含させるためである。
図２においては紙の見本帳が５角形を呈しているが、５角形に限定されるものではなく、任意の多角形でよく、その角も丸味を帯びていてもよい。
このように、紙Ａ〜Ｅの全てが角部を備えると、紙の角部の端部の性質、繊維の状況や、折った際の折り目の状況等を体験的に確認することができる。加えて筆記特性を確認するに際しては、紙の見本帳表面を筆記具で１周して描くことにより、その筆記性等を確認することができるものである。
【００１８】
３番目の態様の見本帳
図３に示すように、紙Ａ〜Ｅの全てが角部を備えるようにし、かつ星状とすることもできる。例えばシート１を基礎として、このシート１の各辺に紙Ａ〜Ｅを繋ぐようにして接続することにより星状の紙の見本帳とすることもできる。
このような形状とした場合には、筆記具によって紙Ａ〜Ｅを一気に一周して筆記性を比較することまではできないが、紙Ａ〜Ｅの先端部の角付近の繊維状状況を確認し、あるいは指先で紙を破るなどして、紙の機械的性質をさらに感覚的に確認することができる。
２番目の態様及び３番目の態様の見本帳に関して共通していえるが、紙Ａ〜Ｅが有する特性の内の１つを選んで、その特性が例えば時計回りに向上するようにそれぞれの紙を配置して接続する等、購入者が確認する紙の性質を感覚的に示すことができる。
【００１９】
４番目の態様の見本帳
図４に示すように、紙Ａ〜Ｅを短冊形とし、その長辺を接続部２によって接続することにより、あたかも１枚の紙のようにしてなる紙の見本帳とすることができる。
ここで、該接続部２としては２番目の態様にて示した接続部２と同じ構造、及び同じ材料からなることができる。
【００２０】
このような２〜４番目の形状の紙の見本帳とした場合には、１番目の態様の見本帳と同じようにして印刷性や筆記性、印刷した後の性質を確認でき、また、紙に関する1種以上の性質が共通する紙を合わせて１つの見本帳とした場合には、紙Ａ〜Ｅにかけての性質を各種の観点から並べて確認できるという効果を発揮することができる。
【００２１】
本発明の紙の見本帳は、上記の例のように、坪量一定で白色度と不透明度が異なる紙をシートに固定、あるいは接続してなってもよいが、これまでの経験により把握している顧客が比較検討することが多い１群の紙を集めて、紙の見本帳としてもよい。
紙の見本帳に見本として示す紙としては、薄物塗工紙、通常の塗工紙等の印刷用紙でもよく、他の用途の紙でもよい。
【００２２】
上記の各見本帳を２つ以上作成し、これらを綴ることによって見本帳綴りとすることもできる。綴り方としては、各見本帳を製本してもよく、あるいはファイルに綴じてもよく、中に見本帳を挿入した紙製や樹脂製等の袋を綴じてもよい。
このようにして１つの見本帳綴りとする2つ以上の見本帳は、坪量や白色光沢度等の紙に関する性質を共通させた見本帳でもよいがそうでなくてもよい。
【図１】
2014048531.tif 000003
【図２】
2014048531.tif 000004
【図３】
2014048531.tif 000005
【図４】
2014048531.tif 000006